(57)【要約】      （修正有）【課題】カラオケ演奏をしていない曲間に不必要な雑音などを拾わず快適に、カラオケを楽しめるカラオケシステムを提供する。【解決手段】記憶手段３と、マイクＭと、演奏手段と、音声出力手段Ｈと、映像再生手段１５と制御手段２とからなるカラオケシステムにおいて、楽曲データを前記演奏手段で再生させる際に、少なくとも曲間時に前記演奏手段における前記マイクＭの入力信号を減衰あるいは遮断させるようにする。【選択図】図１
2013222007.tif 000002
【特許請求の範囲】
【請求項１】
楽曲データや映像データ等を記憶する記憶手段と、歌唱者の音声を入力するマイクと、前記楽曲データと前記マイクから入力された歌唱者の音声をミキシングしてカラオケ演奏を行う演奏手段と、この演奏手段から出力される音声を出力する音声出力手段と、前記映像データに基づいてカラオケの背景映像を適宜な表示手段に再生する映像再生手段と、前記記憶手段、前記演奏手段、前記映像再生手段を制御する制御手段からなるカラオケシステムであって、
前記制御手段は、前記記憶手段から楽曲データを前記演奏手段で再生させる際に、少なくとも曲間時に前記演奏手段における前記マイク入力信号を減衰あるいは遮断させる機能を有することを特徴とするカラオケシステム。
【請求項２】
前記制御手段は、歌唱者への貸出初期状態をセットする機能を有し、貸出初期状態における時点では、最初の楽曲を再生するまでの間、前記演奏手段における前記マイク入力信号を減衰あるいは遮断させる機能を有効とさせないことを特徴とする前記請求項1記載のカラオケシステム。
【請求項３】
前記制御手段による曲間時に前記演奏手段における前記マイク入力信号を減衰あるいは遮断させる機能を有効にするか無効にするか、歌唱者が任意に選択できる選択手段を有することを特徴とする前記請求項１乃至請求項２記載のカラオケシステム。
【請求項４】
前記マイクはコンデンサー型マイクであることを特徴とする前記請求項１乃至請求項３記載のカラオケシステム。
【請求項５】
前記音声出力手段は、ヘッドホンで構成したことを特徴とする前記請求項１乃至請求項４記載のカラオケシステム。
【発明の詳細な説明】
【技術分野】
【０００１】
本発明は、カラオケ演奏装置おいて、曲間における音響制御に係るカラオケ装置に関する。
【背景技術】
【０００２】
最近のカラオケ装置は、カラオケ利用者が予約した楽曲を順番に伴奏演奏するカラオケ演奏モードの他に、曲間に音響や映像を制御するものとして、ＣＭを再生するモードや曲間にＢＧＭを再生するモードなど、複数の実行モードを有するようになっている。これらのモードは利用状況等に応じて自動的に切替わる。たとえば、カラオケ演奏の予約が存在すればカラオケ演奏モードを持続して予約楽曲を演奏するが、演奏予約が無くなると曲間モードに切替わったり、連続してリクエスト楽曲が入力されていても、適宜にＣＭ等のモードに切り替わったりするものも存在している。
【０００３】
従来、引用文献1では、曲間ＣＭや曲間ＢＧＭなどのモード選択を簡単に行うことができる技術が開示されている。曲間モードには、ＣＭ放送を流すＣＭモードやＢＧＭ演奏を行うＢＧＭモードなどがあるが、この曲間モードの実行内容はカラオケ装置の設置管理者（店）の意向に応じてまたは客層に合わせて選択されている。
【先行技術文献】
【特許文献】
【０００４】
【特許文献１】特開２００２―２４４６７４号公報
【発明の概要】
【発明が解決しようとする課題】
【０００５】
ところが最近のカラオケ装置の利用形態として、一人でカラオケ楽しむ利用者が増加している。特に集中してカラオケを歌いたいカラオケユーザは、曲間に煩わしい曲間ＣＭなどは、好まない傾向のヘビーユーザーも存在する。そこで本発明者は、一人でカラオケを楽しむこれらユーザーの理想的な形態として、音声出力手段は、ヘッドホンで構成するほうが集中する点に着目した。さらに一人でカラオケを楽しむことを極めるために、歌唱者の音声を入力するマイクは、感度のよいコンデンサー型マイクにすることを試みた。
【０００６】
通常のカラオケ利用環境において、コンデンサー型マイクを使用すると、感度が良すぎてハウリング等の問題が生じるので、通常はダイナミックマイクが利用されている。そこで理想的なシステムとしてコンデンサー型マイクを選択するとともに音声出力手段をヘッドホンで構成することで、ハウリング等の問題を解消するカラオケシステムを試作した。
【０００７】
ところが、特にこのコンデンサー型マイクを使用することにおいて今度は、カラオケ演奏をしていない状態（曲間）では、風音や周囲の雑音をマイクで拾ってしまい利用者にとって不快となるような問題が生じていた。
【０００８】
そこで本発明は、上記の不都合を解消するために想到されたもので、カラオケ演奏をしていない曲間に不必要な雑音などを拾わず快適に、カラオケを楽しめるカラオケシステムを提供することを目的とする。
【課題を解決するための手段】
【０００９】
本発明のカラオケシステムは、上記目的を達成するために、少なくとも歌唱者の音声を入力するマイクと、楽曲データとマイクから入力された歌唱者の音声をミキシングしてカラオケ演奏を行う演奏手段と、この演奏手段から出力される音声を出力する音声出力手段と、前記映像データに基づいてカラオケの背景映像を適宜な表示手段に再生する映像再生手段と、前記演奏手段、前記映像再生手段を制御する制御手段からなるカラオケシステムにおいて、この制御手段は、楽曲データを前記演奏手段で再生させる際に、少なくとも曲間時に前記演奏手段における前記マイク入力信号を減衰あるいは遮断させるようにしてなる。
【００１０】
また最適な実施例としては、前記制御手段は、歌唱者への貸出初期状態をセットする機能を有し、貸出初期状態における時点では、最初の楽曲を再生するまでの間、前記演奏手段における前記マイク入力信号を減衰あるいは遮断させる機能を有効とさせないようにした。
【００１１】
さらに、理想的には、曲間時に前記制御手段による前記マイク入力信号を減衰あるいは遮断させる機能を有効にするか無効にするか、歌唱者が任意に選択できる選択手段を設け、この選択手段によって、前記機能を有効にさせるようにした。
【００１２】
特に本発明では、前記マイクはコンデンサー型マイクで構成したことで、本発明の効果が発揮される。
【００１３】
前記音声出力手段は、ヘッドホンで構成したことで、たとえコンデンサー型マイクを選択しても、ハウリング等の問題も解消し、本発明のカラオケシステムが効果的なものとなるよう構成した。
【図面の簡単な説明】
【００１４】
【図１】本発明によるカラオケ装置の一実施例を示すブロック図。
【図２】本発明を採用した場合の曲間における概念説明図。
【図３】カラオケシステムを使用するときのフロー説明図。
【発明を実施するための形態】
【００１５】
本発明の実施形態を図面に基づいて説明する。
【実施例】
【００１６】
図１は本発明によるカラオケ装置の一実施例を示すブロック図である。図２は本発明を採用した場合の曲間におけるマイク入力信号の減衰・遮断を実行した時の概念説明図である。図３は、カラオケシステムを使用するときのフロー説明図である。
【００１７】
図１に示すように、本実施例のカラオケ演奏装置Ｐは、主に、カラオケ装置全体を統括的に制御する制御手段２とこれに接続された各種機器にて構成されている。すなわち、この制御手段２は、カラオケホスト装置との通信を制御するための通信手段１２、その付帯するリモコン装置Ｒの利用者インタフェイスからの操作信号を制御するための操作制御手段１３、そして、当該カラオケ演奏装置Ｐが付帯する表示手段Ｄをもって表示させるための映像再生手段１５などを統括的に制御すると共に、記憶手段としてのハードディスク３、ＲＡＭ４、音源５、ミキサ６、サウンドシステム７、ＰＣＭデコーダ８、ＭＰＥＧデコーダ１０、合成回路１１などが接続されている。
【００１８】
ここで、カラオケ演奏装置Ｐの構成要素について詳述する。先ず、音源５は、制御手段２が実行するシーケンサ１４における楽曲シーケンサの処理によって入力された演奏データ１９に応じて楽音信号を形成する。形成された楽音信号はミキサ６に入力され、このミキサ６は、音源５が発生した複数の楽音信号やカラオケマイクＭと、Ａ／Ｄコンバータ９を介して入力された利用者の歌唱音声信号を適当なバランスでミキシングする。ミキシングされたデジタル音声信号はサウンドシステム７に入力される。このサウンドシステム７はパワーアンプを備え、入力されたデジタル信号をアナログ信号に変換して増幅し、ヘッドホンＨから楽音と歌唱音声を放音する。また、ミキサ６は、コンデンサー型マイクＭにファンタム電源を供給する電源装置１６を備えている。
【００１９】
ハードディスク３に記録されている背景映像データ２０や曲間映像データ２１は、ＭＰＥＧ形式にエンコードされており、中央制御手段２が実行する背景映像再生手段（図示省略）により再生処理を行い、これを読み出してＭＰＥＧデコーダ１０に入力する。このＭＰＥＧデコーダ１０は入力されたＭＰＥＧデータをＮＴＳＣの映像信号に変換して合成回路１１に入力し、この合成回路１１はこの背景映像の映像信号上に歌詞テロップや採点表示などのOSDを合成し、合成された映像信号は表示手段Ｄに表示される。
【００２０】
シーケンサ１４は楽曲コード１８で識別される演奏データ１９をハードディスク３に記録されている楽曲コード１８に紐付けされた演奏データ１９を読み出す。このシーケンサ１４は主に楽曲シーケンサおよび歌詞シーケンサからなっており、楽曲シーケンサは演奏データ中の演奏データトラック、ガイドメロディトラックなどのトラックデータを読み出し、このデータで音源５を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路１１に出力する。また記憶手段３には曲間にＣＭやプロモーション映像（音声も含む）などが記憶され、必要により、制御手段２における曲間映像抽出手段１７によって、曲間にＣＭやプロモーション映像などが出力される。
【００２１】
サウンドシステム７から出力される音声出力手段として、本発明ではヘッドホンHで構成している。また、カラオケで使用するマイクとしては、コンデンサー型マイクを使用している。すなわち、ヘッドホンで構成することで、コンデンサー型マイクを採用しても、ハウリングなどの問題を解消できるようにした。
【００２２】
このように構成されているカラオケ演奏装置Ｐにおいて、制御手段２は、楽曲データ１８を前記演奏手段で再生させる際に、曲間時に前記演奏手段における前記マイク入力信号を減衰あるいは遮断させるように制御している。例えば図２に示すように、１曲目と２曲目の間（Ｂ）、２曲目と３曲目の間の曲間（Ｃ）は、Ａ／Ｄコンバータ９に入力されるマイク入力信号を減衰あるいは遮断制御するようになっている。
【００２３】
なお、制御手段２による、この減衰あるいは遮断制御は、Ａ／Ｄコンバータ９、ミキサ６、又は電源装置１６をコントロールするか適宜に選択されるが、電源装置１６をON／OFF制御していると雑音のもとになるので、Ａ／Ｄコンバータ９かミキサ６をコントロールすることが好ましい。
【００２４】
また、他の実施例としては、前記制御手段は、歌唱者へのカラオケシステム貸出初期状態をセットする機能を有し、貸出初期状態における時点では、最初の楽曲を再生するまでの間、前記演奏手段における前記マイク入力信号を減衰あるいは遮断させる機能を有効とさせないようにした（図２における入室時の１曲目が演奏される前（Ａ）参照）。
【００２５】
さらに、曲間時に前記演奏手段における前記マイク入力信号を減衰あるいは遮断させる機能を有効にするか無効にするか、歌唱者がリモコンＲにより、任意に選択できるようにもなっており、この歌唱者の選択によって、前記機能を有効にさせるようにした。
【００２６】
前述した通り、前記音声出力手段は、ヘッドホンで構成したことで、たとえコンデンサー型マイクを選択しても、ハウリング等の問題が解消するだけでなく、カラオケ歌唱時は、コンデンサー型マイクで高出力の音声入力が実現でき迫力のあるカラオケが楽しめ、曲間時は、不快な雑音も解消できる。
【００２７】
次に、図３フロー説明図に基づいて、本発明の制御手段２を中心にカラオケシステムを使用するときの状態を説明する。先ずカラオケ利用者が、受付を済ませ、カラオケ個室に入ると、カラオケ演奏装置Pは、歌唱者へのカラオケシステムの貸出初期セット状態（ステップ１０１）になっているので、最初の楽曲を再生するまでの間、前記演奏手段における前記マイク入力信号を減衰あるいは遮断させる機能を有効とさせないようになっている。これは、カラオケ利用者が最初にマイクの状態を確認するので、歌い始めの前にマイクの入力信号が減衰あるいは遮断されていると、不安になるのを解消するためである。
【００２８】
カラオケ演奏装置Pは、制御手段２により、表示手段Ｄを介して、曲間マイク遮断機能選択を促す表示がなされ、カラオケ利用者に曲間におけるマイク入力信号を減衰あるいは遮断機能の有無がリモコンＲを介して選択される（ステップ１０２）。これにより、ステップ１０３において、１曲演奏され、その後演奏が終了される毎（ステップ４）に、ステップ１０２で曲間マイク遮断が選択されていれば、ステップ１０５からステップ１０６に移り、次の曲が演奏されるまで、曲間のマイク遮断が実行される。
【００２９】
ステップ１０２で、曲間マイク遮断が選択されなかった場合には、ステップ１０５で「曲間マイク遮断」のステップ１０６がスキップされ、常にマイク信号は入力信号を受け付ける状態になっている。なお、ステップ１０１の貸出初期セットは、必ずしも、最初にセットされるものではなく、ステップ１０７においてカラオケ利用者が演奏を終了（カラオケシステム利用を終了）することによって、貸出を終了したときに、曲間マイク遮断機能が選択されていた場合に解除し、セットしておいても良い。
【００３０】
また、ステップ１０２の曲間マイク遮断機能選択は、割り込みでカラオケシステム使用時にいつでも割り込み設定でき、曲間マイク遮断機能が選択されてい無い状態で、いつでも設定できるようになっている。
【００３１】
本発明は、理想的な構成とし、コンデンサー型マイクを使用すると、歌唱者の音声入力感度が良くなり、カラオケの歌唱を楽しめるとともに、音声出力手段をヘッドホンで構成することで、ハウリング等の問題を解消し、さらに楽曲データを前記演奏手段で再生させる際に、少なくとも曲間時に前記演奏手段における前記マイク入力信号を減衰あるいは遮断させるようにし、曲間時に不快な雑音を避けるなどの相互に影響し合う問題点を解消でき、産業上極めて有益なカラオケシステムを提供するものとなった。
【符号の説明】
【００３２】
Ｐ・・・カラオケ演奏装置
Ｈ・・・ヘッドホン
Ｍ・・・コンデンサー型マイク
Ｄ・・・表示手段
Ｒ・・・リモコン
２・・・制御手段
３・・・記憶手段
４・・・ＲＡＭ
５・・・音源
６・・・ミキサ
７・・・サウンドシステム
８・・・PCMデコーダ
９・・・Ａ／Ｄコンバータ
１０・・・ＭＰＥＧデコーダ
１１・・・合成回路
１２・・・通信手段
１３・・・操作制御手段
１４・・・シーケンサ
１５・・・映像再生手段
１６・・・電源装置
１７・・・曲間映像抽出手段
１８・・・楽曲コード
１９・・・演奏データ
２０・・・背景映像データ
２１・・・曲間映像データ
【図１】
2013222007.tif 000003
【図２】
2013222007.tif 000004
【図３】
2013222007.tif 000005